(57)【特許請求の範囲】
【請求項１】
入力手段と、表示手段と、制御手段とを備え、カラオケ演奏装置に対して楽曲の演奏リクエストを可能とすると共に、複数の利用者がログイン可能なカラオケリモコン装置であって、
入力手段は、利用者からの各種入力を受け付け可能とし、
表示手段は、制御手段の制御に基づいて表示を行い、
制御手段は、設定処理と、ログアウト処理とを可能とし、
設定処理は、利用者からの入力に基づいて第１設定あるいは第２設定を設定し、
ログアウト処理は、利用者からのログアウト指示入力があった場合、第１設定に設定されている場合は第１処理を、第２設定に設定されている場合は第２処理を行い、
第１処理は、第１ログアウトか第２ログアウトかの選択を受け付けて、第１ログアウトが選択された場合は１人の利用者をログアウトさせ、第２ログアウトが選択された場合はログインしている全ての利用者をログアウトさせ、
第２処理は、１人の利用者をログアウトさせる
カラオケリモコン装置。
【請求項２】
第１処理は、ログインしている利用者が１人である場合には、第１ログアウトか第２ログアウトかの選択を受け付けずに当該利用者をログアウトさせる
請求項１に記載のカラオケリモコン装置。
【請求項３】
第１、第２処理においてログアウトさせる１人の利用者は、入力手段にて指定された利用者である
請求項１または請求項２に記載のカラオケリモコン装置。
【請求項４】
ログインしている何れかの利用者に対するサービス処理を可能とし、
第１、第２処理においてログアウトさせる１人の利用者は、現在、サービス処理を利用している利用者である
請求項１乃至請求項３のいずれか１つに記載のカラオケリモコン装置。
【発明の詳細な説明】
【技術分野】
【０００１】
本発明は、カラオケリモコン装置、および、それを利用するカラオケシステムに関するものであり、特に、カラオケリモコン装置において、利用者毎の各種サービスを提供するものに関する。
【背景技術】
【０００２】
通信型カラオケ装置では、新たな楽曲をホスト装置から配信する通信技術をベースとしてネットワーク化、並びに、そのアプリケーション開発が進み、近年ではインターネットなどの通信網を介してホスト装置と通信接続し、ホスト装置にてカラオケシステムを集中管理することによる会員サービスも行われている。この会員サービスにおいては、ホスト装置が各利用者を利用者ＩＤで識別し、利用者毎の演奏履歴や、採点履歴、利用者の嗜好情報などを収集し、楽曲に関する情報を提供するなどのサービスが行われている。
【０００３】
このようなサービスの提供において、特許文献１には、カラオケ装置の利用者がログイン操作を行うことにより当該利用者の個人別曲目リストなどを表示できるようにするとともに、この利用者の仲間同士の存在情報を交換できるようにしたことが開示されている。この特許文献１におけるログインは、選曲予約装置本体をクレードル上に載置し、クレードル上に設けられたＩＣカードリーダー上にＩＣカードをセットしてログイン操作をすることで行われる。カラオケボックスに同室している複数の利用者が、各々各自のＩＣカードを設定してログイン操作を行うことで、図１０に示すように複数の利用者がメンバーズゲートに登録されることとなる。
【０００４】
このメンバーズゲートでは、利用者が自分の顔写真にタッチすることで、当該利用者のマイリストやランキング履歴などの利用者情報が表示され、これらに基づいて利用者は自分の得意とする楽曲を選択することが可能となる。また、利用者は選曲予約装置からＩＣカードを取り外し、図１２このメンバーズゲート画面においてタッチスクリーンに表示される「ログアウト」ボタンにタッチすることでサービスを終了することができる。
【０００５】
また、特許文献１に記載したようなサービスを提供している実際の選曲予約装置においては、各人のログアウトに加え、ログインしている全員が一括してログアウトできるタッチスクリーン上のボタンを設けたものも知られている。
【特許文献１】特開２００７−１３３３３０公報
【発明の開示】
【発明が解決しようとする課題】
【０００６】
ログインしている全員が一括してログアウトできるように構成することは、カラオケボックスなど、気の知れた仲間が集まるような場所においては非常に便利な機能である。しかしながら、営業形態の異なるスナックなどのナイト店では、見知らぬ客が集い同じ選曲予約装置を共有する状況とな。このような場所において一括してログアウトすることとなると、１人の利用者が間違ってこの一括ログアウトしてしまった場合には、まだサービスを利用したい他の利用者は再び１人ずつログインしなくてはならない面倒な状況が発生することとなる。
【０００７】
さらに、カラオケボックスのような営業形態の店舗において、最近では１人で来店してカラオケを楽しむ需要も多く、このような状況においては、全員ログアウトさせるといっても１人だけしかログアウトする必要がなく、全員ログアウトさせるメニューを表示することは１人で来店した利用者に寂しい思いをさせかねない。
【課題を解決するための手段】
【０００８】
本発明は、従来の問題や不都合を解決するために提案されたもので、複数の利用者がログインし、カラオケ会員サービスが提供されるカラオケリモコン装置において、店舗の形態などに即したログアウト手法を提言するものである。
【０００９】
そのため、請求項１に係るカラオケリモコン装置は、入力手段と、表示手段と、制御手段とを備え、カラオケ演奏装置に対して楽曲の演奏リクエストを可能とすると共に、複数の利用者がログイン可能なものであって、入力手段は、利用者からの各種入力を受け付け可能とし、表示手段は、制御手段の制御に基づいて表示を行い、制御手段は、設定処理と、ログアウト処理とを可能とし、設定処理は、利用者からの入力に基づいて第１設定あるいは第２設定を設定し、ログアウト処理は、利用者からのログアウト指示入力があった場合、第１設定に設定されている場合は第１処理を、第２設定に設定されている場合は第２処理を行い、第１処理は、第１ログアウトか第２ログアウトかの選択を受け付けて、第１ログアウトが選択された場合は１人の利用者をログアウトさせ、第２ログアウトが選択された場合はログインしている全ての利用者をログアウトさせ、第２処理は、１人の利用者をログアウトさせることを特徴とするものである。
【００１０】
さらに、請求項２に係るカラオケリモコン装置は、第１処理は、ログインしている利用者が１人である場合には、第１ログアウトか第２ログアウトかの選択を受け付けずに当該利用者をログアウトさせることを特徴とするものである。
【００１１】
さらに、請求項３に係るカラオケリモコン装置は、第１、第２処理においてログアウトさせる１人の利用者は、入力手段にて指定された利用者であることを特徴とするものである。
【００１２】
さらに、請求項４に係るカラオケリモコン装置は、ログインしている何れかの利用者に対するサービス処理を可能とし、第１、第２処理においてログアウトさせる１人の利用者は、現在、サービス処理を利用している利用者であることを特徴とするものである。
【発明の効果】
【００１３】
本発明によれば、複数の利用者がログインするとともに、利用者を切り替えながら共有して利用することとなるカラオケリモコン装置において、１人だけログアウトするのか、もしくは、全員ログアウトするかをメニュー画面にて選択させる設定と、１人だけログアウトさせる設定を予めメンテナンスモードなどで設定しておくことができ、カラオケリモコン装置が設置される店の業態に応じてその設定変更を行うことが可能となる。
【００１４】
例えば、カラオケボックスのような営業形態の店舗では、仲間内で集まる機会が多いこととなるため全員ログアウトをするかを利用者に問うメニュー表示を行うことが望ましい形態であり、一方、スナックなどのナイト店では、１人だけログアウトさせる設定とすることで、間違って全員ログアウトすることを避けることが可能となる。
【００１５】
また、カラオケボックスのような営業形態の店舗にて全員ログアウトさせる設定となっている場合にあっても、ログインしている利用者が１人だけである場合には、全員ログアウトさせる選択を省略し、表示による寂しい思いをさせることがない。
【発明を実施するための最良の形態】
【００１６】
以下、本発明の実施形態を図面を参照しながら説明を行う。図１は、本発明の実施形態に係るカラオケシステムを示した図であり、特に、１つの店舗にて複数のコマンダ、いわゆるカラオケ演奏装置を設置して営業を行うカラオケボックスとしての一実施形態を示し
た図である。
【００１７】
図１において、５０は通信網、６０はルータ、７０は無線アクセスポイント、１００はホスト装置、２００はリモコン装置、３００はコマンダをそれぞれ示している。本実施形態において、各コマンダ３００はｒｏｏｍ１〜ｒｏｏｍ４毎に１台ずつ配置され、リモコン装置２００からリクエストされた楽曲を演奏する。例えば、コマンダ１が設置されるｒｏｏｍ１には１台のリモコン装置１が配置され、コマンダ１はリモコン装置１からの楽曲リクエストを受け付けることができる。また、コマンダ４が設置されたｒｏｏｍ４では２台のリモコン装置４−１、４−２が配置され、コマンダ４は、リモコン装置４−１、４−２のどちらからも楽曲リクエストを受け付けることが可能となっている。なお、コマンダ３００のフロントパネルなどに設けられた入力手段からも楽曲のリクエストは可能となっている。
【００１８】
各コマンダ３００は、ＬＡＮによりルータ６０と接続されており、インターネット回線といった通信網５０を介してホスト装置１００と通信接続されている。このように通信接続されることで各コマンダ３００は、ホスト装置１００から楽曲配信や、プログラム配信を受信することができると共に、ホスト装置１００に対して利用履歴などを送信することができる。
【００１９】
コマンダ３００が接続されるＬＡＮ上には、無線アクセスポイント７０も接続されており、各リモコン装置２００と無線通信が可能なように設定されている。このように設定することで、各リモコン装置２００はコマンダ３００と同様、通信回線を介してホスト装置１００と通信を行うことが可能である。リモコン装置２００がホスト装置１００と通信を行うことで、ホスト装置は、利用者がログインしているリモコン装置２００に対して会員サービスを提供することができる。
【００２０】
会員サービスは、各会員の情報をホスト装置１００で管理することで、利用者がどのリモコン装置２００からログインしても、各利用者に対するサービスを受けることができるものであって、例えば、各利用者の予約履歴を管理することで、再来店した場合に参照可能としたり、予め利用者が気に入った歌手を登録しておき、その歌手の持ち歌を参照可能としたり、登録しておいた十八番を参照可能とする選曲補助や、採点履歴に基づいて他の利用者と得点を競ったりするサービス処理を提供できる。
【００２１】
本実施形態では、ＬＡＮを介して複数のコマンダ３００が接続された、いわゆるカラオケボックスでの営業形態を説明したが、スナックなどのナイト店においては、コマンダ３００が１台設置される共に、リモコン装置２００が１台乃至数台設置される構成が採用されることととなる。
【００２２】
次に、本発明のカラオケシステムにおいてカラオケ演奏装置となるコマンダ３００についてより詳しく説明する。図２は本発明の実施の形態に係るカラオケシステムで用いられるコマンダ３００及びその周辺のブロック構成を示す図である。３０１はコマンダ制御手段、３０２はコマンダ通信手段、３０３はフロントパネル表示手段、３０４は表示制御手段、３０５はコマンダ記憶手段、３０６はコマンダ入力手段、３０７は音源、３０８はミキサ手段、４０１はアンプ、４０２はスピーカー、４０３はマイクロフォン、４０５はディスプレイをそれぞれ示している。
【００２３】
カラオケルームなどの空間に設置されるコマンダ３００には、ＣＲＴやＴＦＴ等の映像表示装置であるディスプレイ４０５、音声増幅装置であるアンプ４０１が接続されており、コマンダ３００からの制御出力によりディスプレイ４０５に歌詞映像と背景画像を表示し、歌詞映像の表示と同期させてカラオケ楽曲の再生信号をアンプ４０１へ送出し、スピ
ーカー４０２から演奏音が得られるようにしている。そして、前記アンプ４０１には、ミキサ手段３０８を介してマイクロフォン４０３が接続されており、利用者は、歌詞映像に合わせてこのマイクロフォン４０２から自身の発声を入力し歌唱することになる。
【００２４】
コマンダ制御手段３０１は、コマンダシステム全体の制御を司る。コマンダ記憶手段３０５にはハードディスクなどが用いられ、ホストサーバ１００から受信した楽曲データ、映像データやカラオケ演奏以外の機能を実行させるデータであるデータが記憶される。
【００２５】
コマンダ通信手段３０２は、周知の規格の有線ＬＡＮなどが用いられ、リモコン装置２００からコマンダ３００に対する制御命令や、楽曲データ、映像データやファームウエアデータなどをホストサーバ１００からダウンロードするために利用される。また、ＬＡＮを介して他のコマンダやその他の機器に接続する機能も有し、他のコマンダや他の機器との間で情報の送受信が可能とされる。
【００２６】
コマンダ入力手段３０６は、コマンダ３００のフロントパネルなどに設けられた各種スイッチ機能であり、予約選曲、キーコントロール、歌唱プログラムなどカラオケ装置特有の機能を手動設定が可能となるようにしている。表示制御手段３０４は、カラオケ楽曲に伴う映像や、その他、コンテンツデータ、広告データなどの映像データをディスプレイ４０５にて表示するための表示制御を行う。音源３０７は、ＭＩＤＩ、ＰＣＭ、ＭＰＥＧなどの規格に基づく楽曲データに基づいて楽音信号を形成する。ミキシング手段３０８は、音源３０７が形成した複数の楽音信号とマイクロフォン４０３から入力される歌唱者の歌唱音声信号を適宜なバランスで混合する。このミキシング手段３０８で混合された信号、アンプ４０１に出力されてスピーカ４０２から放音出力されることとなる。
【００２７】
この他にも、従来のリモコン装置で使用されるＩＲ信号を送受信可能とする通信手段を予備的に設け、ＩＲ信号による楽曲リクエストにも対応できる構成としてもよい。
【００２８】
次に、本発明のカラオケシステムにおけるカラオケ選曲装置であるリモコン装置２００についてより詳しく説明する。図３（Ａ）、図３（Ｂ）は、本発明の実施の形態に係るカラオケシステムで用いられるリモコン装置の構成を示す図である。
【００２９】
図３（Ａ）は、リモコン装置のブロック構成を示した図であって、２０１は制御手段、２０２は通信手段、２０３は指紋読取手段、２０４は記憶手段、２０５は表示手段、２０６はタッチ式センサを示している、そして、２０５の表示手段とその表面に設置される透明のタッチ式センサ２０６とでタッチパネル２０７を構成している。
【００３０】
リモコン装置２００は、制御手段２０１が装置全体の制御を司る。記憶手段２０４としては、ＲＡＭなどメモリやハードディスクなどが用いられ、楽曲選択のためのリストやサービス処理を行う際の利用者情報などが格納される。
【００３１】
タッチ式センサ２０６は、利用者の指やスタイラスなどの接触による入力操作を可能としている。タッチ式センサ２０６による入力を可能とするため、表示手段２０５にはタッチ式センサ２０６に対する制御と連動した表示画像が表示されるようにプログラムされてる。このタッチ式センサ２０６と表示手段２０５により、いわゆるタッチパネル２０７が構成される。なお、本実施形態では、入力手段としてタッチ式センサ２０６を用いる例について説明しているが、本発明はこれに限定されるものではなく、例えば、キーボード、カーソルキーなどの機械的入力手段に代えてもよい。また、これらをタッチ式センサ２０６と併せて用いてもよい。
【００３２】
通信手段２０２は、本実施形態では、無線アクセスポイント７０との間で無線ＬＡＮ規
格（例えば、ＩＥＥＥ８０２．１１ａ／ｂ／ｇ規格など）などに従った無線通信を行う、ホスト装置１００と通信接続するための無線通信手段である。なお、このホスト装置１００との通信は、例えば、Ｂｌｕｅｔｏｏｔｈ（登録商標）によって実現しても構わない。その場合、各コマンダ３００には、Ｂｌｕｅｔｏｏｔｈ規格の通信手段が設けられることとなり、リモコン装置２００はコマンダ３００を経由してホスト装置１００と通信を行うこととなる。
【００３３】
本実施形態において、リモコン装置２００からの楽曲リクエストは、この通信手段２０２を介して行われることとなる。すなわち、コマンダ３００とリモコン装置２００が予め対応付けられることで、同一のＬＡＮ上に接続されていても、コマンダ３００は自分に対する楽曲リクエストであることを判別することができ、楽曲リクエスト機能を実現する。
【００３４】
指紋読取手段２０３は、利用者がその表面を押圧、もしくは、スライドさせることで利用者の指紋を読み取る機能を有するものであり、読み取った指紋に基づいて認証処理が行われ利用者はサービスにログインすることとなる。なお、利用者によってはログインのための認証方法として、指紋認証を好まないというような場合がある。そこで、本実施形態におけるカラオケシステムでは、この指紋読取手段２０３を利用した指紋認証を行うか、タッチパネル２０７からのパスワード入力による認証を行うかを利用者が選択できるようになっている。
【００３５】
図３（Ｂ）は、このリモコン装置２００の外観（正面図）を示したものであり、筐体中央にはタッチパネル２０７が配置され、利用者に対して各種の表示を行うと共に、スタイラス４０６あるいは指を接触させることによる利用者の入力を受け付ける。本実施形態では、このタッチパネル２０７のみを利用しているが、この他にも各種の入力手段の形態は変更可能であり、例えば、画面周囲に配置される各種キーにより利用者の入力を受け付ける形態などが考えられる。
【００３６】
タッチパネル２０７右上には指紋読取手段２０３が設けられている。左右どちらかに偏らせて指紋読取手段２０３を設けることで、カラオケリモコン装置２００を扱う利用者は、指紋読取の際、意識せずとも偏らせた側の手の指を使用することとなり、どちらの手で認証を行ったかを覚える煩わしさがない。この指紋読取手段２０３上に指をスライドさせることで指紋の読み取りが行われることとなる。読み取られた指紋は制御手段２０１において適宜なアルゴリズムで特徴が抽出され指紋情報に変換されることとなる。
【００３７】
以上、図１〜図３を用いて本システムにおけるハードウェア構成を説明したが、これらハードウェア構成を利用し、予め登録した利用者が会員サービスを開始するにあたって行う開始処理について説明を行う。
【００３８】
図４（Ａ）、図４（Ｂ）は、図３（Ｂ）のタッチパネル２０７に表示される２種類の初期画面を示したものであって、枠で囲まれた文字やアイコン（ボタン）をタッチすることで、それに応じた処理が実行される。図４（Ａ）は会員サービスに登録していないゲストとしての利用者が各種選曲を行うためのゲスト画面、図４（Ｂ）は会員サービスに登録した利用者が会員サービスを利用している状態での利用者画面を示している。図４（Ａ）、図４（Ｂ）の左側には、共通して「新譜」、「歌手名」、「曲名」に代表される９つのボタンを備えた選曲メニューが表示され、歌手名や楽曲名を指定することによる通常選曲や各種ゲームなどを選択することが可能となっている。これらは、図４（Ａ）と図４（Ｂ）とで共通しており、会員サービスに登録していない利用者（ゲスト）、会員サービスを利用中の利用者に関わらず共通して利用可能となっている。
【００３９】
一方、画面右側には、利用者が会員サービスを利用するための各種ボタンを備えた利用
者メニュー６００が設けられており、図４（Ｂ）にみられるように、会員サービスを利用している場合には、利用者のニックネームまたは氏名（図では「ああああ  さん」が利用中）、利用者が事前に登録した写真、アイコン、アバターなどが表示される。
【００４０】
会員サービスを利用している利用者は、図４（Ｂ）の「マイメニュー」、「あなたへのオススメ」、「マイリスト」、「マイりれき」といったボタンにタッチすることで、それらに応じた会員サービスを受けることができる。本実施形態では「マイメニュー」ボタンを選択すると、本システム内に構築されたメールシステムを利用したメールサービス（不図示）や、各種設定を行うことが可能であり、また、「あなたへのオススメ」ボタンを選択すると、利用者の登録情報などによる楽曲推薦が行われ、「マイリスト」ボタンを選択すると、利用者が登録している十八番から選曲が可能となり、また、「マイりれき」ボタンを選択すると、利用者がこれまでに歌唱した楽曲が履歴順に表示されることとなる。
【００４１】
一方、図４（Ａ）のゲスト画面では、会員サービスが利用されていないため、この利用者メニュー６００には、個人認証、新機能などの紹介メッセージや、新譜広告などが表示されることとなる。さらに、図４（Ａ）、図４（Ｂ）には共通して「メンバー一覧」、「新規登録」、「ログイン」といったボタンが設けられており、利用者の会員サービスへの参加、サービスを受ける利用者の変更、また、サービスの終了を可能としている。また、利用者が「メンバー一覧」ボタンを選択すると、図５のメンバー画面に移動して、現在、ログイン中の利用者を表示することとなる。
【００４２】
図５のメンバー画面にて、利用者を選択し、画面上にある「メンバー切替」ボタンを選択すると、会員サービスの対象は該当する利用者に切り替えられ、図４（Ｂ）に移動して、各メンバー個人に対するサービス処理が開始される。
【００４３】
また、図５のメンバー画面から、ログイン、ログアウトを行うことも可能であり、メンバー画面にて、まだ自分がログインしていないことを確認した利用者は「ログイン」ボタンを選択して新たに会員サービスにログインすることとなる。一方、会員サービスを終了したい利用者は、利用者を選択して「ログアウト」ボタン６０２を選択することで、会員サービスの終了が可能となる。
【００４４】
「ログイン」ボタンは、図４（Ａ）、図４（Ｂ）にも設けられており、利用者はこの画面からも新たに会員サービスにログインすることができる。また、「ログイン」ボタンの左側には「新規登録」ボタンが表示されており、まだ、会員サービスに登録していない利用者は、このボタンを選択し登録処理を行うことで会員サービスが利用可能となる。また、図４（Ｂ）に設けられた「ログアウト」ボタン６０１をタッチすることにより、利用者は会員サービスからログアウトすることとなる。
【００４５】
次に、図６、図７を用い本願発明の実施形態である会員サービスの開始処理について説明する。図６は会員サービスの開始処理を示したフロー図であり、図７は開始処理において、リモコン装置２００のタッチパネル２０７に表示される画面遷移図を示したものである。
【００４６】
図４（Ａ）、図４（Ｂ）、図５のタッチパネル２０７上に示された「ログイン」ボタンにタッチすると開始処理が始まる（Ｓ１００）。本実施形態においては、指紋認証、利用者ＩＤとパスワードを用いた認証を採用しているため、利用者は、図７（Ａ）に示す画面にてどちらを利用するかを選択することとなる（Ｓ１０１）。利用者ＩＤとパスワードを用いた認証を選択した場合には、Ｓ１０７〜Ｓ１０９で示す過程のログイン処理が行われ、成功した場合（Ｓ１１０）には、リモコン装置２００は、ホスト装置１００から各種情報を得てサービス処理を開始する。
【００４７】
一方、指紋認証を利用した場合にはＳ１０２へ進み、図７（Ｂ）に示す画面にて生年月日の入力が促される。入力された生年月日は、Ｓ１０３にてホスト装置１００へ送信される。ホスト装置１００では、予め会員情報の位置情報として登録されている指紋情報の中から、受信した生年月日に対応する指紋情報を少なくとも含んだ情報をリモコン装置２００に返信する。リモコン装置２００側では、生年月日の入力を終えた利用者は、図７（Ｃ）に示す画面にて、指紋読取手段２０３による指紋の読み取りを行う。そして、Ｓ１０６にて、読み取られた指紋による指紋情報と、ホスト装置から取得した生年月日に対応する指紋情報を照合し、照合できた、すなわち、ログインに成功した場合には、どの指紋情報と照合できたかをホスト装置１００へ送信し、当該指紋情報を利用者と判断するサービス処理が開始される。
【００４８】
このように、本実施形態における指紋情報を利用した開始処理では、利用者関連情報に対応する指紋情報をリモコン装置２００側にダウンロードし、リモコン装置側にて指紋情報の照合を行うこととなるため、ホスト装置１００における検索負荷を抑制することができる。
【００４９】
本実施形態では、リモコン装置２００側にて指紋情報の照合を行うこととしたが、これに代えて、ホスト装置１００側にて指紋情報の照合を行うこととしてもよい。その際には、入力した利用者関連情報と指紋情報をホスト装置１００に送信し、ホスト装置側にて利用者関連情報にて絞り込んだ上で指紋情報の照合を行うことができるため、このホスト装置１００側で行う際にも認証の負荷を削減することが可能となる。
【００５０】
なお、本実施形態、および、このホスト装置１００側にて指紋情報の照合を行う何れの場合においても、指紋情報の入力（Ｓ１０４）と利用者関連情報の入力（Ｓ１０２）との入力順序を問うものではない。
【００５１】
では、次に、本発明における実施形態に係るログアウト処理について図８〜図１０を用いて説明を行う。図８は、ログアウト設定画面である。この画面は、カラオケリモコン装置を管理するメンテナンスモード画面の１つであり、このメンテナンスモードには、他に音設定、表示設定、ゲーム設定、メール設定などが設けられている。通常、これらのメンテナンスモードは一般の利用者に開放されたものではなく、店のオーナーといった管理者によるログイン、あるいは、所定の操作にて設定管理できるモードとなっている。
【００５２】
ログアウト設定画面では、図に示すような設定１と設定２がラジオスイッチにてどちらかを選択可能としており、図に示す例では設定１が設定された状態となっている。この設定１は、１人でログアウトすることに加えて全員ログアウトできる設定となっており、設定２は１人でログアウトするのみの設定となっている。デフォルトではどちらかの設定とされている。また、設定する利用者に分かり易いように設定２はナイト店向きの設定であることの説明が付されたものとなっている。
【００５３】
このように図８のログアウト設定画面にて設定された、設定１あるいは設定２の状態にてログアウト処理が実行されることとなる。図９はログアウト処理のフローを示した図であり、図１０はログアウトにおける各種画面を示した図となっている。
【００５４】
まず、ログアウト処理を行うには、誰かがログインしている状態である必要がある。図４にて説明した初期画面から処理を開始することとする（Ｓ２００）。これ以外にも図５で説明したメンバー一覧画面からログアウト処理を開始することとしても構わない。この図４（Ｂ）の画面において、利用者がログアウトするには、図４（Ａ）、（Ｂ）に表示される「メンバー一覧」ボタンにタッチして図５のメンバー一覧画面に移動するか、直接、
図４（Ｂ）の「ログアウト」ボタン６０１にタッチすることによるものとなる。
【００５５】
Ｓ２０１にて「メンバー一覧」ボタンにタッチされたと判断された場合には、Ｓ２０２に進み、図５に示すメンバー一覧画面を表示する。このメンバー一覧画面においてメンバー、すなわち、利用者が選択された状態で「ログアウト」ボタン６０２がタッチされた場合にはＳ２０５に進み、図８にて設定されたログアウト設定が判定される。なお、本実施形態では、利用者を選択した状態にて、ログイン、あるいは、利用者の切り替えを行うことも可能であるが、ここでは、ログアウトを中心に説明を行うためそれらの処理については省略する。
【００５６】
Ｓ２０５にて、ログアウト設定が設定１、すなわち、カラオケボックス店舗のような業務形態向けの設定であることを判断するとＳ２０６にて図１０（Ａ）に示す「全員ログアウト」と「自分だけログアウト」の選択ボタンを有するメニュー画面に移動する。Ｓ２０７では、このメニュー画面において「全員ログアウト」ボタンが選択された場合には、図１０（Ｃ）に示す「はい」と「いいえ」の選択ボタンを有する確認画面にて利用者に対するログアウトの確認が行われる。
【００５７】
Ｓ２０８にて「はい」がタッチされた場合には、全員ログアウトする許可が下りたと判断し、Ｓ２０９にてログインしている全ての利用者に対するログアウト処理が一括して行われることとなる。このとき、各利用者の演奏履歴など今回のサービスにて更新された利用者情報がホスト装置１００へ送信され、初期画面など適宜な画面に移動してログアウト処理が終了する（Ｓ２１３）。一方、図１０（Ｃ）にて「いいえ」ボタンにタッチされたと判断されるとログアウトはキャンセルされたと判断し、初期画面などの適宜な画面に移動することとなる。
【００５８】
一方、Ｓ２０７にて「自分だけ」ボタンがタッチされた場合には、Ｓ２１１に進み、Ｓ２０８と同様に図１０（Ｃ）で示される確認画面に移動し、「はい」ボタンがタッチされたことでＳ２１２にて１人の利用者のみがログアウトすることとなる。このＳ２１２のログアウトにおいても、更新された利用者情報はホスト装置１００へ送信され、Ｓ２１３にてログアウト処理が終了する。
【００５９】
以上が、カラオケボックス店舗のような業務形態向けの設定１についての処理であるが、次に、ログアウト設定がナイト店のような業務形態向けの設定２についての処理を説明する。Ｓ２０５にて設定２であると判断されると、Ｓ２１１に進み、Ｓ２０８と同様に図１０（Ｃ）で示される確認画面に移動する。したがって、図１０（Ａ）で示されるような選択は行われず、次のＳ２１２にて１人の利用者のみがログアウトすることとなる。
【００６０】
なお、この設定２におけるログアウトでは直接、図１０（Ｃ）の確認画面に移動することとしたが、図１０（Ｂ）のように「自分だけログアウト」ボタンを表示するステップを設けることとしてもよい。図１０（Ａ）の画面構成において「全員ログアウト」ボタンを表示しない構成とするだけでよいため簡易な処理が可能となる。
【００６１】
最後に、図４（Ｂ）初期画面から「ログアウト」ボタン６０１を操作してログアウトする場合の処理について説明する。Ｓ２０１にて「ログアウト」ボタン６０１がタッチされたと判断した場合には、Ｓ２０１にて現在ログインしている利用者が１人だけか否かを判定することとなる。１人だけの場合にはＳ２１１にて図１０（Ｃ）の確認画面に進み、Ｓ２１１以降の処理が実行される。このようにログインしている利用者が１人だけである場合には、設定１であったとしても、「全員ログアウト」か「自分だけログアウト」かを選択させることはないため１人で来店した利用者に対しても不快な思いをさせることはない。
【００６２】
以上、ログアウト処理について説明を行ったが、図９のＳ２０８、Ｓ２１１にて行った確認処理については必ずしも行う必要はなく、これらの処理を省略することで確認を行うことなくログアウトするように構成しても構わない。
【００６３】
以上、本発明の種々の実施形態について説明したが、本発明はこれらの実施形態のみに限られるものではなく、それぞれの実施形態の構成を適宜組み合わせて構成した実施形態も本発明の範疇となるものである。
【図面の簡単な説明】
【００６４】
【図１】本発明の実施形態に係るカラオケシステムを示した図。
【図２】本発明の実施形態に係るコマンダを示した図。
【図３】本発明の実施形態に係るリモコン装置を示した図。
【図４】本発明の実施形態に係る２種類の初期画面を示した図。
【図５】本発明の実施形態に係るメンバー一覧画面を示した図。
【図６】本発明の実施形態に係る開始処理のフローを示した図。
【図７】本発明の実施形態に係る開始処理の画面遷移を示した図。
【図８】本発明の実施形態に係るログアウトの設定画面を示した図。
【図９】本発明の実施形態に係るログアウト処理のフローを示した図。
【図１０】本発明の実施形態に係る各種ログアウト画面を示した図。
【符号の説明】
【００６５】
５０…通信網、６０…ルータ、７０…無線アクセスポイント、１００…カラオケホスト装置、２００…リモコン装置、２０１…制御手段、２０２…通信手段、２０３…指紋読取手段、２０４…記憶手段、２０５…表示手段、２０６…タッチ式センサ（入力手段）、２０７…タッチパネル、３００…コマンダ（カラオケ演奏装置）、３０１…コマンダ制御手段、３０２…コマンダ通信手段、３０３…フロントパネル表示手段、３０４…表示制御手段、３０５…コマンダ記憶手段、３０６…コマンダ入力手段、３０７…音源、３０８…ミキサ手段、４０１…アンプ、４０２…スピーカ、４０３…マイクロフォン、４０４…ディスプレイ、４０５…スタイラス、５００…選曲メニュー、６００…利用者メニュー
【図１】
0005120946.tif 000002
【図２】
0005120946.tif 000003
【図３】
0005120946.tif 000004
【図４】
0005120946.tif 000005
【図５】
0005120946.tif 000006
【図６】
0005120946.tif 000007
【図７】
0005120946.tif 000008
【図８】
0005120946.tif 000009
【図９】
0005120946.tif 000010
【図１０】
0005120946.tif 000011